(57)【要約】【課題】漏れ出た水による問題を少なくする。【解決手段】霧化させるための水を収容する水タンク６と、上記水に電圧を印加する印加電極２と、上記水に接触しているとともに一端に霧化部を備えている吸水体４と、吸水体４の上記霧化部に対向している対向電極３とを備え、吸水体が水タンクから吸い上げた水を吸水体の霧化部において静電霧化させる静電霧化装置である。吸水体の途中を保持して上記霧化部を上方に突出させている上記印加電極の上面に、水捕集用の凹所２６を備える。吸水体で吸い上げられた水が印加電極の上面に広がっても凹所に捕集されるために、水が外部にこぼれ出たりすることがない。【選択図】  図１
2004358361.tif 000002
【特許請求の範囲】
【請求項１】
霧化させるための水を収容する水タンクと、上記水に電圧を印加する印加電極と、上記水に接触しているとともに一端に霧化部を備えている吸水体と、吸水体の上記霧化部に対向している対向電極とを備えて、吸水体が水タンクから吸い上げた水を吸水体の霧化部において静電霧化させる静電霧化装置において、吸水体の途中を保持して上記霧化部を上方に突出させている上記印加電極の上面に水捕集用の凹所を備えていることを特徴とする静電霧化装置。
【請求項２】
凹所の底面には凹所に溜まった水を水タンクに戻す水抜き孔を備えていることを特徴とする請求項１記載の静電霧化装置。
【請求項３】
印加電極の上記凹所は吸水体の外周保持部を除く部分に設けられているとともに、上記外周保持部はその上端部が外周ほど凹所の底面に近くなる曲面もしくは傾斜面になっていることを特徴とする請求項１または２記載の静電霧化装置。
【請求項４】
印加電極は水タンクの上面開口を塞ぐ蓋となっているとともに、水タンクと印加電極との間に水漏れ防止用のパッキンが配されていることを特徴とする請求項１〜３のいずれかの項に記載の静電霧化装置。
【請求項５】
送風用のファン及び除塵用のフィルターを備えるとともに、ファン及びフィルターの下流側に請求項１〜４のいずれかの項に記載の静電霧化装置が配されていることを特徴とする空気清浄機。
【発明の詳細な説明】
【０００１】
【発明の属する技術分野】
本発明は静電霧化装置とこれを備えた空気清浄機に関するものである。
【０００２】
【従来の技術】
ミストを発生させる霧化装置として、特許第３２６０１５０号公報（特許文献１）に示されているような静電霧化装置がある。これは水を収容した水タンクと、水タンク内の水を毛細管現象で吸い上げて先端の針状霧化部に導く吸水体と、吸水体の針状霧化部に対向する対向電極と、水タンク内の水に印加電極を介して電圧を印加する高圧発生回路とからなり、対向電極との間の放電箇所となる吸水体の針状霧化部に存在する水にレイリー分裂を起こさせて霧化することでミストを発生させるものである。
【０００３】
【特許文献１】
特許第３２６０１５０号公報
【０００４】
【発明が解決しようとする課題】
この場合、吸水体は水タンクの蓋によって保持しておくことになるが、この場合、水タンク内の水が少なくなって吸水体の下端よりも水位が下がると、静電霧化が生じなくなる。
【０００５】
上記蓋を印加電極で構成して印加電極が吸水体で保持している水に電圧を印加するようにすれば、吸水体の下端よりも水位が下がってもさらに静電霧化を続行させることができるが、この場合、吸水体で吸い上げられた水が蓋である印加電極の上面に広がったりすると、該水には高電圧がかかっていることから種々の問題を招く。たとえば、広がった水と対向電極との間で集中放電して静電霧化が生じなくなったりすることがある上に、高電圧がかかっている水に触れたりすれば危険である。もちろん、蓋から水が外部にこぼれ落ちることも問題である。
【０００６】
本発明はこのような点に鑑みなされたものであって、その目的とするところは漏れ出た水による問題を少なくすることができる静電霧化装置とこれを備えた空気清浄機を提供するにある。
【０００７】
【課題を解決するための手段】
しかして本発明にかかる静電霧化装置は、霧化させるための水を収容する水タンクと、上記水に電圧を印加する印加電極と、上記水に接触しているとともに一端に霧化部を備えている吸水体と、吸水体の上記霧化部に対向している対向電極とを備えて、吸水体が水タンクから吸い上げた水を吸水体の霧化部において静電霧化させる静電霧化装置において、吸水体の途中を保持して上記霧化部を上方に突出させている上記印加電極の上面に水捕集用の凹所を備えていることに特徴を有している。吸水体の下端よりも水位が下がってもさらに静電霧化を続行させることができるものであり、しかも吸水体で吸い上げられた水が印加電極の上面に広がっても凹所に捕集されるために、水が外部にこぼれ出たり、対向電極との間で集中放電して静電霧化が生じなくなるような事態を招くことがなく、また高電圧がかかっている水に触れる虞も少なくすることができる。
【０００８】
そして、凹所に溜まった水を水タンクに戻す水抜き孔を凹所の底面に備えていると、凹所内に溜まった水が溢れ出てしまうことを防ぐことができる。
【０００９】
また、印加電極の上記凹所が吸水体の外周保持部を除く部分に設けられているとともに、上記外周保持部はその上端部が外周ほど凹所の底面に近くなる曲面もしくは傾斜面になっていると、吸水体の外面と印加電極との間から漏出した水を凹所にスムーズに導くことができる。
【００１０】
また、印加電極が水タンクの上面開口を塞ぐ蓋となっているとともに、水タンクと印加電極との間に水漏れ防止用のパッキンが配されていると、傾けた時にも水タンク内の水が漏れ出ることがない。
【００１１】
そして本発明にかかる空気清浄機は、送風用のファン及び除塵用のフィルターを備えるとともに、請求項１〜４のいずれかの項に記載の静電霧化装置がファン及びフィルターの下流側に配されていることに特徴を有している。フィルターによる空気清浄化と同時にミストの発生を安全に得ることができるものであり、しかもフィルターよりも下流側に静電霧化装置を配しているために、空気中の塵埃で静電霧化装置の機能が損なわれてしまうことが殆どないものである。
【００１２】
【発明の実施の形態】
以下本発明を実施の形態の一例に基づいて詳述すると、図示例の静電霧化装置１は霧化させることになる水を収容した水タンク６を下部に備えたもので、円筒状で且つ周面に通風孔１２が開口するホルダー１０と、該ホルダー１０の上部に配された対向電極３と、ホルダー１０の下部に嵌め込まれて水に対する電圧印加を担う印加電極２と、この印加電極２によって保持されている複数本の棒状吸水体４と、同じく印加電極２によって保持されているイオン化針５とで構成されており、カップ状に形成されている上記水タンク６は、その上端開口縁の外面の突起６０が上記ホルダー１０の下部に装着されている印加電極２の外周フランジ部２１に設けられている係合凹所２９にバヨネット係合することで取り付けられている。
【００１３】
対向電極３と印加電極２は共にカーボンのような導電材を混入した合成樹脂やＳＵＳのような金属で形成されることで導電性を有しているもので、図３に示すようにホルダー１０の上部に被せられる対向電極３はその外周面に形成された接続用突部３０の外面に接触する接地用接触板７１を通じて接地される。ホルダー１０の下部内に嵌め込み固定されてホルダー１０内面のリブ１１で押さえ固定されている印加電極２も同じく外周面に形成された接続用突部２０の外面に接触する接触板７２を介して高電圧発生源に接続される。
【００１４】
前記棒状吸水体４は、多孔質セラミックで形成されてその上端が針状に尖った針状霧化部となっているもので、複数本、図示例では６本の吸水体４が印加電極２に取り付けられている。これら吸水体４は印加電極２の中央に配されたイオン化針５を中心とする同心円上に等間隔で配置されて、上部が印加電極２よりも上方に突出し、下部は下方に突出して上記水タンク６内に入れられた水と接触する。
【００１５】
図中２２は印加電極２から下方に突出している円筒状のスカートで、上記複数本の吸水体４の外側を囲んでいるとともに、その下端は吸水体４の下端よりも下方に位置し、下端開口には格子状の格子状保護カバー１７が被せられている。印加電極２における該スカート２２は、水タンク６内に入れられた水と接触することで水に高電圧を印加すると同時に、上記格子状保護カバー１７と共にセラミックで形成されている吸水体４の保護を行うものである。
【００１６】
ここで、印加電極２は、水タンク６が連結された時、水タンク６の上面開口を略密閉してしまうことで、傾いた時にも水タンク６内の水が漏れ出ることがないようにしており、この関係で上記スカート２２の周方向の一部にはスカート２２の上下方向全長にわたるスリット２３を設けて、水を入れた水タンク６の装着時に上記スリット２３によってスカート２２で囲まれた空間内の空気を抜いてスカート２２内への水の流入を許すようにしている。
【００１７】
ホルダー１０の上面開口を閉じるように装着された対向電極３は、図２に示すように中央に開口部３１を有するとともに、この開口部３１の縁は上方から見た時、前記複数本の吸水体４の上端の針状部を中心とする複数の同一径の円弧Ｒを他の円弧ｒで滑らかにつないだものとなっている。対向電極３を接地し、印加電極２に高電圧発生源を接続するとともに、吸水体４が毛細管現象で水を吸い上げている時、吸水体４の上端の針状霧化部が印加電極２側の実質的な電極として機能すると同時に、対向電極３の上記円弧Ｒが実質的な電極として機能するものである。なお、上記開口部３１には格子状保護カバー１６が被せられることで、開口部３１を通じてイオン化針５や吸水体４に手指などが接触することが防止されている。
【００１８】
今、水を入れた水タンク６を装着して、印加電極２のスカート２２に水を接触させると同時に、吸水体４に毛細管現象で水を吸い上げさせ、さらに対向電極３を接地するとともに印加電極２に高電圧発生源を接続して、印加電極２に負電圧を印加した時、この電圧が水にレイリー分裂を起こさせることができる高電圧であれば、吸水体４の上端の針状霧化部に達した水はここでレイリー分裂を起こしてナノメータサイズの粒子径の霧化を生じさせる静電霧化がなされる。
【００１９】
また、この静電霧化装置１では印加電極２によって保持されているイオン化針５にも負電圧が同時に印加され、対向電極３との間でのコロナ放電によってマイナスイオンの発生もなされる。この時、電極間の距離が同じであればマイナスイオン発生のために必要な電圧よりも静電霧化に必要な電圧の方が高いことから、ここでは吸水体４の上端の針状部から対向電極３までの距離Ｌ１よりも、イオン化針５から対向電極３までの距離Ｌ２をかなり長くすることで静電霧化の方を生じやすくしている。もっとも、水タンク６内の水が無くなるとともに吸水体４で保持している水も霧化されてなくなれば、上記マイナスイオンの発生のみが継続して行われる。
【００２０】
ここにおいて、印加電極２の上面で、その外周部と、各吸水体４及びイオン化針５の各外周を保持している保持部２５，２７とを除いた領域に凹所２６を形成してある。この凹所２６は、たとえば吸水体４で吸い上げられて吸水体４の外面に滲出した水を溜めるためのもので、この凹所２６の存在により、水が印加電極２の上面に広がってこぼれ落ちることがなく、また、印加電極２の上面に広がった水が対応電極２との間で集中放電して静電霧化が生じなくなることを防ぐ。さらに印加電極２に接していることで高電圧が印加されている水に人が触れる可能性を少なくする。
【００２１】
各吸水体４及びイオン化針５の各外周を保持している保持部２５，２７の上端部を外周ほど凹所２６の底面に近くなる曲面もしくは傾斜面にしているのは、上記の滲出した水が凹所２６にスムーズに流れ込むようにするためである。
【００２２】
図４に他例を示す。これは凹所２６の底面にイオン化針５を中心とする環状の溝２８を設けるとともに溝２８の底面にいくつかの水抜き孔２８０を貫通形成して、凹所２６に溜まった水を溝２８に集めて水抜き孔２８０から水タンク２６内に戻すことができるようにしたものである。
【００２３】
図５は印加電極２の下面側にバヨネット結合される水タンク６の上端縁と印加電極２の下面との間にパッキン６５を介在させることで、この静電霧化装置１を傾けた時にも水タンク６内の水がこぼれ出ることがないようにすることをより確実にしたものである。
【００２４】
図６及び図７は上記静電霧化装置１を備えた空気清浄機７を示している。モータ８３に寄って駆動されるファン８２と風洞７０とからなる送風機を備えて、前面の吸い込み口７６から吸い込んだ空気をフィルター部８１で濾過した後、吹き出し口７７から外部に放出するのであるが、この空気清浄機７における吸い込み口７６から吹き出し口７７に至るまでの空気流路のうち、上記送風機における風洞７０内で且つ吹き出し口７７の近傍位置に上記静電霧化装置１が配設されている。
【００２５】
静電霧化で生じたナノメータサイズの粒子径のミストであるナノサイズミストは拡散性が元々高いが、送風機による送風に乗って広がるためにさらに拡散性が良好になっているものであり、このためにナノサイズミストが有している活性種によるところの室内空気中の臭気成分や室内壁面への付着物についての脱臭機能を有効に利用することができる。特に図示例のものでは、風洞７０の一部に設けた収納凹所７３内に静電霧化装置１を配置した時、接触板７１，７２と前記接続用突部２０，３０との接触を可能とするために収納凹所７３の壁面に明けた開口部７４（図３参照）と静電霧化装置１のホルダー１０における通風孔１２を通じて、静電霧化装置１の内部に一部の風が流入するために、霧化が促進されて霧化量が増大するとともにミストが風に乗って飛散しやすくなっている。
【００２６】
また、風洞７０内に静電霧化装置１が配されているものの、静電霧化装置１付近を通過する空気はフィルター部８１で濾過された清浄な空気であり、このために静電霧化装置１が汚れることはなく、上述のように一部の風が静電濾過装置１内に入るものの、汚れが原因で静電霧化が生じにくくなることが殆どないものである。
【００２７】
【発明の効果】
以上のように本発明に係る静電霧化装置においては、吸水体の下端よりも水位が下がってもさらに静電霧化を続行させることができるものであり、また吸水体で吸い上げられた水が印加電極の上面に広がっても凹所に捕集されるために、水が外部にこぼれ出たり、対向電極との間で集中放電して静電霧化が生じなくなるような事態を招くことがなく、また高電圧がかかっている水に触れる虞も少なくすることができる。
【００２８】
また本発明にかかる空気清浄機は、フィルターによる空気清浄化と同時にミストの発生とマイナスイオンの発生とを得ることができる上に、空気中の塵埃で静電霧化装置が汚れてそのの機能が損なわれてしまうことが殆どないものである。
【図面の簡単な説明】
【図１】本発明の実施の形態の一例の断面図である。
【図２】同上の格子状カバーを外した状態の平面図である。
【図３】同上の断面図である。
【図４】同上の他例の断面図である。
【図５】同上の更に他例の断面図である。
【図６】本発明に係る空気清浄機の一例の縦断面図である。
【図７】同上の横断面図である。
【符号の説明】
１  静電霧化装置
２  印加電極
３  対向電極
４  吸水体
６  水タンク
２６  凹所
【図１】
2004358361.tif 000003
【図２】
2004358361.tif 000004
【図３】
2004358361.tif 000005
【図４】
2004358361.tif 000006
【図５】
2004358361.tif 000007
【図６】
2004358361.tif 000008
【図７】
2004358361.tif 000009